(57)【要約】      （修正有）【課題】部品を削減する、及び製造コストを低減する衛生洗浄装置を提供する。【解決手段】洗浄水により人体の局部を洗浄する衛生洗浄装置は、ヒータ１００を備える。ヒータ１００は、洗浄水を吐水する吐水部に供給する水を貯溜するタンク２６内に発熱体が配置されるとともに、端子（ターミナルピン１４１、１４２）がタンク２６の外部に突出され、タンク２６内の水を発熱体により加熱する。また、ヒータ１００に電源を供給するための電源供給部材１６０、１６６と、端子（ターミナルピン１４１、１４２）とが溶接により接続される。【選択図】図８
2020133290.tif 000002
【特許請求の範囲】
【請求項１】
洗浄水により人体の局部を洗浄する衛生洗浄装置であって、
前記洗浄水を吐水する吐水部に供給する水を貯溜するタンク内に発熱体が配置されるとともに、端子が前記タンクの外部に突出され、前記タンク内の水を前記発熱体により加熱するヒータを備え、
前記ヒータに電源を供給するための電源供給部材と前記端子とが溶接により接続されることを特徴とする衛生洗浄装置。
【請求項２】
前記タンクの外部において前記端子のうちの少なくとも一部を覆うカバーが取り付けられ、
前記カバーは、前記端子の軸方向に対して直交する方向に開口部を有することを特徴とする請求項１に記載の衛生洗浄装置。
【請求項３】
前記ヒータのシース管とアース線とが溶接により接続されることを特徴とする請求項１または２に記載の衛生洗浄装置。
【発明の詳細な説明】
【技術分野】
【０００１】
本発明は、洗浄水を加熱することが可能な衛生洗浄装置に関する。
【背景技術】
【０００２】
従来、便座に座った使用者の局部に向けて洗浄水を吐水することで人体の局部洗浄を行うことが可能なトイレ装置が存在する。また、その洗浄水を所定温度に加熱することが可能なトイレ装置が存在する。
【０００３】
例えば、特許文献１には加熱ヒータなどの熱交換装置により洗浄水の温度を所定温度とする局部洗浄装置が提案されている。
【先行技術文献】
【特許文献】
【０００４】
【特許文献１】特開２０１８−３２５６号公報
【発明の概要】
【発明が解決しようとする課題】
【０００５】
上記の従来技術では、熱交換器を構成する発熱体からの漏洩電流が洗浄水を介して接地極（地中）に流れるように、洗浄水が流れる洗浄水路の一部に筒状部材、導電部材、アース線により構成された接地部材が設けられる。この接地部材により、局部洗浄装置を接地できる。
【０００６】
しかし、上述の従来技術では、接地部材として、アース線以外に筒状部材および導電部材が必要となるため、部品点数が増加し、製造コストが増加する。同様に、洗浄水を貯めるタンクや洗浄水路の外部に加熱ヒータの端子が突出されているような場合には、その加熱ヒータの端子と電源供給部とを接続するための接続部材（例えば、筒状部材、導電部材）が必要となることが多い。この場合にも、部品点数が増加し、製造コストが増加する。
【０００７】
本発明は、上述した問題点に鑑みてなされたものであり、衛生洗浄装置の部品を削減すること及び製造コストを低減することを目的とする。
【課題を解決するための手段】
【０００８】
本発明に係る衛生洗浄装置は、洗浄水により人体の局部を洗浄する衛生洗浄装置であって、前記洗浄水を吐水する吐水部に供給する水を貯溜するタンク内に発熱体が配置されるとともに、端子が前記タンクの外部に突出され、前記タンク内の水を前記発熱体により加熱するヒータを備え、前記ヒータに電源を供給するための電源供給部材と前記端子とが溶接により接続されることを特徴とする。
【０００９】
このような構成の衛生洗浄装置によれば、ヒータの端子と電源供給部材との接続に要する部品点数を削減することができ、衛生洗浄装置の小型化やコスト削減に寄与することができる。
【００１０】
本発明に係る衛生洗浄装置の他の態様は、前記タンクの外部において前記端子のうちの少なくとも一部を覆うカバーが取り付けられ、前記カバーは、前記端子の軸方向に対して直交する方向に開口部を有することを特徴とする。
【００１１】
このような構成の衛生洗浄装置によれば、開口部越しにヒータの端子と電源供給部材とを溶接することができるため、溶接作業を容易に行うことができる。
【００１２】
本発明に係る衛生洗浄装置の他の態様は、前記ヒータのシース管とアース線とが溶接により接続されることを特徴とする。
【００１３】
このような構成の衛生洗浄装置によれば、ヒータとアース線との接続に要する部品点数を削減することができ、衛生洗浄装置の小型化やコスト削減に寄与することができる。
【発明の効果】
【００１４】
本発明によれば、衛生洗浄装置の部品を削減してコスト削減できる。
【図面の簡単な説明】
【００１５】
【図１】本発明の一実施形態に係る衛生洗浄装置を備えたトイレ装置を示す斜視図である。
【図２】本発明の一実施形態に係る衛生洗浄装置の構成を示すブロック図である。
【図３】本発明の一実施形態に係る衛生洗浄装置における装置・機器の配置構成を示す平面図である。
【図４】本発明の一実施形態に係る衛生洗浄装置の構成例を示す正面図である。
【図５】本発明の一実施形態に係る衛生洗浄装置の構成例を示す平面図である。
【図６】本発明の一実施形態に係る衛生洗浄装置の構成例を示す背面図である。
【図７】本発明の一実施形態に係るヒータ（シーズヒータ）の構成例を示す断面図である。
【図８】本発明の一実施形態に係るタンクにおけるヒータ（シーズヒータ）の配置例を示す上面図である。
【図９】本発明の一実施形態に係るヒータ（シーズヒータ）に電源供給部材およびアース線を取り付けた場合の構成例を示す斜視図である。
【図１０】本発明の一実施形態に係るヒータ（シーズヒータ）の端部を覆うカバーを取り付けた場合の構成例を示す正面図である。
【図１１】本発明の一実施形態に係る電源供給部材を示す斜視図である。
【図１２】本発明の一実施形態に係るカバーを示す斜視図である。
【図１３】本発明の一実施形態に係るカバーの電源供給部材カバーを示す斜視図である。
【図１４】本発明の一実施形態に係るカバーのアース線カバーを示す斜視図である。
【発明を実施するための形態】
【００１６】
本発明は、洗浄水を吐水する吐水部に供給する水を貯溜するタンクに配置されるヒータ（シーズヒータ）とこれに電気的に接続される電源供給部材やアース線とを溶接により接続することで装置の簡素化を図り、コンパクトな装置構成を実現しようとするものである。以下、本発明の実施の形態について図面を参照して説明する。本実施形態では、衛生洗浄装置がトイレ装置において洋式腰掛便器の上に設置された構成を例にとって説明する。なお、本発明における衛生洗浄装置は、水源から供給された洗浄水をタンク内に貯水し、このタンク内で加熱して貯湯する貯湯式熱交換器である。
【００１７】
［トイレ装置の構成例］
図１に示すように、本実施形態に係るトイレ装置１は、洗浄水により人体（使用者）の局部を洗浄する衛生洗浄装置２と、洋式腰掛便器である便器３とを備える。衛生洗浄装置２は、トイレ装置１において、便器３の上に設置された状態で設けられている。衛生洗浄装置２は、便器３に対して着脱可能に取り付けられた構成であってもよく、便器３と一体的に設けられた構成であってもよい。
【００１８】
便器３は、上側を開放側とした凹状のボウル部３ａを有する。便器３は、ボウル部３ａにおいてトイレ装置１の使用者の尿や便などの排泄物を受ける。
【００１９】
衛生洗浄装置２は、筐体をなすケーシング５内に各種の装置・機器を内蔵した装置本体部４と、装置本体部４のケーシング５に対して回動可能に支持された便座６および便蓋７とを有する。衛生洗浄装置２は、便器３に対して、装置本体部４をボウル部３ａの後方の上側に位置させ、便座６および便蓋７の回動動作によってボウル部３ａの上側の開放部を開閉するように設けられる。
【００２０】
ケーシング５は、その底部をなすベースプレート５ａ（図３参照）と、ベースプレート５ａを上側から覆うケースカバー５ｂとを有する。ベースプレート５ａ上に、ケーシング５に内蔵される各種の装置・機器が設置されている。
【００２１】
なお、トイレ装置１は、装置本体部４の後方に、洗浄水を貯溜する貯水タンクを備えたロータンク式のものであってもよい。この場合、装置本体部４のケーシング５のケースカバー５ｂは、例えば、内部に貯水タンクを収容するタンクカバー部分とともに、一体のタンクカバーを構成するか、あるいは、タンクカバー部分とは別体の部材として設けられ、タンクカバー部分をなす部材とともにタンクカバーを構成する。
【００２２】
［衛生洗浄装置の構成例］
衛生洗浄装置２の構成について、図２および図３を参照して説明する。なお、図２は、洗浄水の供給経路の構成と制御構成を併せて示しており、図２では、水の流れを実線で、信号または電気の流れを破線でそれぞれ示している。また、図３に示すように、衛生洗浄装置２における前後・左右・上下方向は、図１に示すトイレ装置１における前後・左右・上下方向に対応している。
【００２３】
図２に示すように、衛生洗浄装置２は、制御部１０と、人体検知センサ１２と、着座検知センサ１３と、洗浄水供給部１４と、ノズルユニット１５とを有する。これらの構成は、ケーシング５に内蔵されている。また、衛生洗浄装置２は、例えばリモートコントローラとして設けられる操作部（図示略）を有する。
【００２４】
制御部１０は、例えば、ＣＰＵ等の演算処理装置やＲＡＭ等の記憶装置等を備えたものであり、洗浄水供給部１４やノズルユニット１５等の各部の動作を制御する。制御部１０は、例えば使用者による操作部に対する操作に基づく操作部からの入力信号に応じて、各部の動作を制御する。なお、制御部１０と操作部との間の通信方式は、有線であっても無線であってもよい。
【００２５】
人体検知センサ１２は、トイレ装置１が設置されたトイレルーム内に入室した使用者を検知するセンサである。人体検知センサ１２は、その検知信号を制御部１０に対して出力する。人体検知センサ１２は、例えば、赤外線信号を利用した焦電センサや、マイクロ波を用いたマイクロ波ドップラセンサ等の電波センサである。
【００２６】
着座検知センサ１３は、使用者の着座として、便座６に着座する直前の使用者や便座６に着座した状態の使用者を検知するセンサである。着座検知センサ１３は、その検知信号を制御部１０に対して出力する。着座検知センサ１３は、例えば、赤外線投受光式の測距センサや、便座６に着座した使用者の荷重を検知するスイッチである。
【００２７】
洗浄水供給部１４は、水道等の所定の給水源９からの給水を受け、供給された洗浄水（水）を、ノズルユニット１５へと供給する。洗浄水供給部１４は、バルブユニット２１と、熱交換器２２と、電解槽２３と、バキュームブレーカ（ＶＢ）２４とを有する。
【００２８】
バルブユニット２１は、例えば電磁弁により構成された流路開閉弁を含み、洗浄水供給部１４に供給される水の流路を開閉する。つまり、バルブユニット２１は、流路開閉弁の開閉動作によって、給水源９から供給される洗浄水の給水と止水とを切り替える。バルブユニット２１は、制御部１０からの制御信号に基づいて開閉動作する。
【００２９】
熱交換器２２は、バルブユニット２１の下流側に設けられている。熱交換器２２は、給水源９からの水の供給を受けるタンク２６を有し、タンク２６内の水を加熱する加熱装置である。図３に示すように、熱交換器２２は、タンク２６内に加熱源として発熱体であるヒータ１００を有し、ヒータ１００により、給水源９から供給された洗浄水を加熱して温水とする。つまり、熱交換器２２は、タンク２６を貯湯タンクとする貯湯加熱式のものである。
【００３０】
熱交換器２２により得られる温水の温度は、例えば操作部の操作により設定される。本実施形態では、ヒータ１００は、直線棒状に構成されたシーズヒータであり、タンク２６内の底部付近に配置されている。ヒータ１００は、制御部１０からの制御信号に基づいて通電により発熱する。
【００３１】
このように熱交換器２２を有する洗浄水供給部１４から各供給先に供給される洗浄水には、給水源から供給されたままの水と、熱交換器２２によって加熱された温水とが含まれる。なお、熱交換器２２は、例えばセラミックヒータ等の他の加熱源を用いたものであってもよい。
【００３２】
電解槽２３は、熱交換器２２の下流側に設けられている。電解槽２３は、一対の電極を有し、熱交換器２２側から供給された水を電極間にて電気分解する。電解槽２３は、洗浄水に含まれる塩素イオンを電気分解することにより、機能水として、次亜塩素酸（ＨＣｌＯ）を含む水を生成する。
【００３３】
電解槽２３における通電動作は、制御部１０からの制御信号に基づいて制御される。なお、電解槽２３は、供給された水を電気分解することなく下流側へと流すこともできる。電解槽２３は、所定の配線により制御部１０に接続されている。
【００３４】
バキュームブレーカ２４は、大気開放された開放部を有する大気解放式のものであり、電解槽２３から供給される水の逆流を防止する。バキュームブレーカ２４を通過した水は、ノズルユニット１５へと供給される。本実施形態では、バキュームブレーカ２４は、熱交換器２２のタンク２６と一体的に設けられている。
【００３５】
ノズルユニット１５は、ノズル本体をなす局部洗浄ノズル３１と、ノズル洗浄部としてのノズル洗浄室３２と、流路切替弁３３と、局部洗浄ノズル３１を支持する支持体３４（図３参照）と、ノズル駆動部３５とを有し、ケーシング５（のベースプレート５ａ）に対する一体的な取付体として構成されている。
【００３６】
局部洗浄ノズル３１は、人体の局部を洗浄するための水（洗浄水）を吐出するものである。局部洗浄ノズル３１は、略円筒棒状に構成され、平面視でその長手方向が前後方向となるように設けられている。局部洗浄ノズル３１は、ノズル駆動部３５により、ケーシング５内から便器３のボウル部３ａ内に対して進退可能（出没可能）に設けられている（図３、矢印Ａ１参照）。
【００３７】
局部洗浄ノズル３１は、その長手方向の一側（前端側）に、洗浄水を吐出する複数の吐水孔３６を有する。本実施形態では、局部洗浄ノズル３１は、人体用の吐水孔３６として、おしり洗浄用の第１吐水孔３６ａと、おしりを優しく洗うやわらか洗浄用の第２吐水孔３６ｂと、ビデ洗浄用の第３吐水孔３６ｃとを有する。これらの吐水孔３６は、局部洗浄ノズル３１の先端部の上側に設けられている。これらの吐水孔３６に供給された洗浄水は、吐水孔３６から上方へ向けて吐出され、便座６に着座した状態の使用者の局部洗浄に用いられる。
【００３８】
また、局部洗浄ノズル３１は、便器用の吐水孔３６として、第４吐水孔３６ｄを有する。第４吐水孔３６ｄは、局部洗浄ノズル３１の先端部の下側に設けられている。第４吐水孔３６ｄは、例えば使用者による便器３の使用前または使用後に、電解槽２３で生成された機能水をボウル部３ａに対して吐出する洗浄処理に用いられる。
【００３９】
局部洗浄ノズル３１においては、各吐水孔３６に連通する流路が形成されている。すなわち、局部洗浄ノズル３１は、給水流路として、第１吐水孔３６ａに連通する第１の給水流路３７ａと、第２吐水孔３６ｂに連通する第２の給水流路３７ｂと、第３吐水孔３６ｃに連通する第３の給水流路３７ｃと、第４吐水孔３６ｄに連通する第４の給水流路３７ｄとを有する。これらの給水流路は、流路切替弁３３から各吐水孔３６に連通する給水流路を構成し、流路切替弁３３によって切り替えられる流路に含まれる。
【００４０】
ノズル洗浄室３２は、支持体３４の前端部に固定された状態で設けられている。ノズル洗浄室３２は、支持体３４に設けられ、給水源９から供給された水により局部洗浄ノズル３１を洗浄する。本実施形態では、ノズル洗浄室３２は、支持体３４の前端部において、支持体３４と一体的に設けられている。
【００４１】
ノズル洗浄室３２は、局部洗浄ノズル３１が挿通される内部空間を形成する部材により構成されている。ノズル洗浄室３２は、その内部空間に臨んで開口する吐水口を有し、この吐水口から洗浄水を吐出することにより、局部洗浄ノズル３１の外周面の洗浄、即ち胴体洗浄を行う。
【００４２】
ノズル洗浄室３２に対しては、給水源９から洗浄水供給部１４のバキュームブレーカ２４を経た水が、流路切替弁３３を介して供給される。このため、バキュームブレーカ２４と流路切替弁３３とは、これらの間の給水経路を構成するチューブ等の給水管４１により互いに連通接続されている。また、流路切替弁３３とノズル洗浄室３２とは、これらの間の給水経路を構成するチューブ等の給水管４２により互いに連通接続されている。すなわち、給水管４２による給水流路は、局部洗浄ノズル３１の各吐水孔３６に連通する給水流路とともに、流路切替弁３３によって切り替えられる流路に含まれる。
【００４３】
流路切替弁３３は、バキュームブレーカ２４の下流側に設けられており、バキュームブレーカ２４から供給される水（機能水を含む）の供給を受ける。流路切替弁３３は、洗浄水の供給先となる複数の吐水部に対する流路の切替を行う。洗浄水の供給先には、局部洗浄ノズル３１およびノズル洗浄室３２が含まれる。
【００４４】
流路切替弁３３は、局部洗浄ノズル３１と一体的に移動するように設けられている。本実施形態では、流路切替弁３３は、局部洗浄ノズル３１の後側に設けられている。
【００４５】
流路切替弁３３は、水の供給先を切り替える流路に局部洗浄ノズル３１への給水流路およびノズル洗浄室３２への給水流路を含む。本実施形態では、流路切替弁３３は、局部洗浄ノズル３１への給水流路として、第１の給水流路３７ａ、第２の給水流路３７ｂ、第３の給水流路３７ｃ、および第４の給水流路３７ｄを有し、ノズル洗浄室３２への給水流路として、給水管４２により構成された給水流路を有する。すなわち、本実施形態では、流路切替弁３３からの洗浄水の供給先となる複数の吐水部に、局部洗浄ノズル３１の複数の吐水孔３６、およびノズル洗浄室３２の吐水口が含まれる。
【００４６】
流路切替弁３３は、相対移動する２つのバルブディスクを有し、これらのバルブディスクの位置関係によって流路を切り替えるディスクバルブ機構を備えている。流路切替弁３３は、ディスクバルブ機構の駆動源としてのモータ３８を有する。モータ３８は、例えば、パルス電力に同期して回動するステッピングモータ（パルスモータ）である。
【００４７】
モータ３８は、所定の配線により制御部１０に接続されており、モータ３８の動作は、制御部１０により制御される。すなわち、流路切替弁３３は、制御部１０からの制御信号に基づき、上述した複数の吐水部を対象として給水流路を切り替える。また、流路切替弁３３は、各吐水部に供給する水の流量調整の機能を有する。なお、流路切替弁３３の構造は、特に限定されるものではない。
【００４８】
支持体３４は、ケーシング５に対して着脱可能に設けられ、局部洗浄ノズル３１を支持する。具体的には、支持体３４は、ケーシング５のベースプレート５ａに対して着脱可能に取り付けられ、局部洗浄ノズル３１を前下がりの傾斜状に往復直線移動可能に支持する。支持体３４は、ノズルユニット１５において、ノズル洗浄室３２の設置を受けるとともに、局部洗浄ノズル３１、およびこれと一体的に設けられた流路切替弁３３を支持する支持基体を構成する。
【００４９】
ノズル駆動部３５は、駆動源として電動モータ等のノズルモータを含み、局部洗浄ノズル３１を便器３のボウル部３ａ内に対して進退動作させるための構成である。また、ノズル駆動部３５は、ノズルモータの動力を、局部洗浄ノズル３１を進退させるための動力として伝達する伝動機構として、複数のプーリおよびこれらに巻回されたベルトを含む機構を有する。
【００５０】
ノズル駆動部３５のノズルモータの動作は、制御部１０により制御される。すなわち、局部洗浄ノズル３１の進退動作は、制御部１０に接続されたノズル駆動部３５のノズルモータを介して、制御部１０により制御される。局部洗浄ノズル３１は、トイレ装置１の使用者による操作部のスイッチ操作等に応じて、傾斜状態を保持しながらボウル部３ａ内に伸び出て、吐水孔３６から洗浄水を噴射する。
【００５１】
ここで、本実施形態に係る衛生洗浄装置２の装置本体部４におけるケーシング５内の装置の配置構成について、図３を用いて説明する。図３に示すように、平面視において左右方向を長手方向とする略矩形状を有するベースプレート５ａ上において、左右中央部に、局部洗浄ノズル３１を含むノズルユニット１５が設けられている。具体的には、ベースプレート５ａは、前側の左右中間部を、便器３のボウル部３ａの平面視形状に対応するように凹状をなす湾曲部５ｄとし、この湾曲部５ｄの左右中央部に対応する位置に、局部洗浄ノズル３１が、平面視でその長手方向を前後方向（進退方向）として設けられている。
【００５２】
ノズルユニット１５の左側に、熱交換器２２が設けられている。熱交換器２２は、後側寄りの位置に設けられ、ベースプレート５ａ上のノズルユニット１５よりも左側のスペースにおいて、タンク２６によって大部分の面積を占めるように設けられている。
【００５３】
熱交換器２２のタンク２６の後側の左寄りの位置に、電解槽２３が設けられている。また、タンク２６の右側後部の上に、バキュームブレーカ２４が設けられている。
【００５４】
また、ベースプレート５ａ上における右後側に、制御部１０が設けられている。また、ベースプレート５ａ上におけるノズルユニット１５の右側のスペースに、風系ユニットとして、温風乾燥ユニット４６および脱臭ユニット４７が配設されている。
【００５５】
温風乾燥ユニット４６は、便座６に座った状態の使用者の洗浄後の局部を乾燥させるための温風を吹き出すものであり、ノズルユニット１５の右側近傍の位置にて、ベースプレート５ａ上の前後方向の略全体にわたって延設されている。脱臭ユニット４７は、脱臭触媒や脱臭フィルタなどの脱臭部材を有し、便器３のボウル部３ａ内の空気あるいはトイレルーム内の空気を吸い込み、吸い込んだ空気に含まれる悪臭成分などを脱臭部材によって低減させたり捕集または分解したりする。
【００５６】
［衛生洗浄装置の構成例］
衛生洗浄装置２の構成については、図２および図３を参照して説明した。図４乃至図６では、衛生洗浄装置２の全体構成を示しつつ、本実施形態に係るヒータ１００（図７、図８参照）が配置されるタンク２６およびヒータ１００の端部を保護するカバー２００を示す。なお、図４では、衛生洗浄装置２の構成例を正面図で示している。また、図５では、衛生洗浄装置２の構成例を平面図で示している。図５の構成例は、図３に対応する。また、図６では、衛生洗浄装置２の構成例を背面図で示している。また、図４乃至図６に示す各部は、図２、図３に示す各部に対応するため、図４乃至図６では、タンク２６、局部洗浄ノズル３１、カバー２００以外の符号については省略する。また、図４乃至図６に示す衛生洗浄装置２における前後・左右・上下方向は、図１に示すトイレ装置１における前後・左右・上下方向に対応している。なお、図８乃至図１０に示す衛生洗浄装置２における前後・左右・上下方向についても、図１に示すトイレ装置１における前後・左右・上下方向に対応している。
【００５７】
［ヒータの構成例］
次に、ヒータ１００の構成例について、図７を参照して説明する。なお、図７では、直線棒状に構成されるシーズヒータであるヒータ１００の構成例を断面図で示している。
【００５８】
図７に示すように、ヒータ１００は、発熱体１１０と、粉末絶縁材１２０と、シース管１３０と、ターミナルピン１４１、１４２と、絶縁体１５１、１５２とを有する。
【００５９】
シース管１３０は、略円筒形状の金属パイプ（ヒータパイプ）であり、その内部に発熱体１１０および粉末絶縁材１２０を収容している。
【００６０】
シース管１３０の内部には絶縁体として粉末状の粉末絶縁材１２０を充填している。この粉末絶縁材１２０は発熱体１１０とシース管１３０との導通を遮断して絶縁体として機能する。なお、粉末絶縁材１２０としては、例えば、マグネシアを用いることができる。
【００６１】
発熱体１１０は、通電することで発熱する発熱素子、発熱線でありシース管１３０の内部で螺旋状（コイル状）に配置されている。発熱体１１０は、左右両端部をターミナルピン１４１、１４２にそれぞれ連結している。なお、発熱体１１０としては、例えば、ニクロム線を用いることができる。
【００６２】
ターミナルピン１４１、１４２は、導電体で構成しておりヒータ１００の給電端子として機能する。このターミナルピン１４１、１４２としては、例えば、純ニッケル棒を用いることができる。
【００６３】
また、シース管１３０の両端部には円柱状の絶縁体１５１、１５２を配設している。この絶縁体１５１、１５２の側面視略中央部を前述のターミナルピン１４１、１４２が挿通して支持されており、シース管１３０とターミナルピン１４１、１４２とを絶縁している。
【００６４】
このように、ヒータ１００は、発熱体１１０がシース管１３０で覆われるとともに、粉末絶縁材１２０により発熱体１１０およびシース管１３０が絶縁されており、さらに、発熱体１１０に給電するためのターミナルピン１４１、１４２を絶縁体１５１，１５２で支持することでターミナルピン１４１、１４２とシース管１３０とを絶縁している。
【００６５】
［ヒータの配置例］
次に、ヒータ１００の配置例について、図８を参照して説明する。図８では、タンク２６におけるヒータ１００の配置例を平面図で示している。また、図８では、タンク２６においてヒータ１００に関連する部分以外の構成については、図示およびその説明を省略する。
【００６６】
ヒータ１００は、図３に示すように、タンク２６内の底部近傍でタンク２６を平面視略２分割するように斜めに配置している。
【００６７】
また、ヒータ１００は両端部に配置したターミナルピン１４１、１４２をタンク２６の外部に設置し、発熱体１１０がタンク２６内に収納されるように配置している。
また、図８に示すように、ヒータ１００の左前端部に配置したターミナルピン１４１は電源供給部材１６０と溶接している。この電源供給部材１６０の近傍に位置するシース管１３０にはアース線１７０を溶接している。
また、ヒータ１００の他の端部のターミナルピン１４２は電源供給部材１６６が溶接される。なお、ターミナルピン１４１、１４２と電源供給部材１６０、１６６との溶接については、図９を参照して詳細に説明する。
【００６８】
［ヒータにおける電源供給板とアース線の取り付け例］
次に、ヒータ１００に電源供給部材１６０およびアース線１７０を取り付けた場合の構成例について、図９を参照して説明する。なお、図９では、ヒータ１００に電源供給部材１６０およびアース線１７０を取り付けた場合の構成例を斜視図で示している。また、図９では、ヒータ１００の左前端部近傍の構成を中心に示し、右後端部近傍の構成については略同一の構成であるため、その説明及び図示を省略する。
なお、ヒータ１００に電源供給部材１６６（図８参照）を取り付けた場合の構成については、ヒータ１００に電源供給部材１６０を取り付けた場合の構成と略同様であるため、ここでの図示およびその説明を省略する。
【００６９】
なお、カバー取付部１９０については、図１０を参照して詳細に説明する。
【００７０】
上述したように、本実施形態では、ヒータ１００と電源供給部材１６０およびアース線１７０は溶接している。この溶接手段については、例えば、スポット溶接、はんだ付けによる溶接など溶接固定されていればいずれの方法でもよい。
【００７１】
電源供給部材１６０、１６６は、ヒータ１００に給電するための導電性部材である。本実施形態では、電源供給部材１６０として導電性の板状部材を用いる例を示す。
電源供給部材１６０は、図１１に示すように、略平板状の配線固定面１６１と接続面１６２とを有しており、配線固定面１６１と接続面１６２とを略Ｌ字形状となるように構成している。
【００７２】
配線固定面１６１は、下端部近傍に配線固定部１６３を配設し、この配線固定部１６３の上部にカシメ部１６４を配設している。
【００７３】
配線固定部１６３は、図１１に示すように、配線固定面１６１の下端部近傍から前方向に平面視略Ｌ字形状のブラケット１６３ａ、１６３ｂを突設しており、該２つのブラケット１６３ａ、１６３ｂと配線固定面１６１とで囲まれた略長方形状の開口部１６３ｃを構成している。
【００７４】
また、配線固定部１６３の上方には、カシメ部１６４を配設している。カシメ部１６４は、平面視略Ｌ字形状のブラケット１６４ａ、１６４ｂを突設しており、該２つのブラケット１６４ａ、１６４ｂと配線固定面１６１とで囲まれた略長方形状の開口部１６４ｃを構成している。
【００７５】
カシメ部１６４は、略長方形状の開口部１６４ｃの下方から上方に向けて導線１８１を挿入し、外部から押圧して扁平状に変形させることで導線１８１を押圧固定している。
【００７６】
また、接続面１６２は略平板状でターミナルピン１４１と連結する接続部１６５、１６５を有している。この接続部１６５は、接続面１６２の短手方向に向けて隆起部を形成している。なお、接続部１６５は、水平断面視において略台形状に隆起している。
【００７７】
このように構成した接続部１６５、１６５は、ターミナルピン１４１の外周面と溶接固定されている。なお、この溶接手段は、例えば、スポット溶接やはんだ付けによる溶接でも、溶接固定されていればいずれの溶接方法でもよい。
【００７８】
また、アース線１７０は、衛生洗浄装置２を接地する電線であり、絶縁性を有する絶縁被覆で覆われている。また、図１０に示すように、アース線１７０の一端部１７１は、絶縁被膜を剥いで胴体を露出している。この露出した導体（アース線１７０の一端部１７１の導体）はヒータ１００のシース管１３０（導体）の外側面に溶接している。
なお、アース線１７０は、一端部１７１をシース管１３０に溶接し、他端部を図示しない箇所で接地している。このようにアース線１７０をシース管１３０に溶接することでヒータ１００から漏電した際にも確実に接地できる。
【００７９】
このように、ヒータ１００に電源を供給する電源供給部材１６０、１６６と、ヒータ１００のターミナルピン１４１、１４２とを溶接により電気的に接続することができる。これにより、電源供給部材１６０、１６６とターミナルピン１４１、１４２とを接続するための他の接続部品を用いる必要がなくなり、衛生洗浄装置２の部品点数を削減できる。
【００８０】
ここで、仮に、ヒータに電源を供給する電源供給部材とヒータのターミナルピンとの接続に他の接続部品を用いるとともに、その接続部品を取り付ける場合にヒータ（ターミナルピン）にネジで締め付けを行う場合を想定する。このように、ヒータにネジで締め付けを行うと、ヒータにストレスがかかるとともに、接続部品およびネジなどの部品点数が増加する。これに対して、本実施形態では、ヒータ１００に電源を供給する電源供給部材１６０、１６６と、ヒータ１００のターミナルピン１４１、１４２とを溶接により導通接続することにより、衛生洗浄装置２の部品点数を削減できるとともに、ヒータ１００にストレスを与えることがない。
【００８１】
また、アース線１７０と、ヒータ１００のシース管１３０とは溶接により電気的に接続しているため、他の接続部品を用いる必要がなく、衛生洗浄装置２を実現する部品点数を削減できる。また、シース管１３０にアース線１７０を連結する際にネジで締め付ける必要がなく、ヒータ１００にストレスを与えることがない。
【００８２】
また、アース線１７０と、ヒータ１００のシース管１３０とを溶接により直接部材同士を連結することで、洗浄水を貯溜するタンク２６に配置されるヒータ１００の劣化により、ヒータ１００の絶縁破壊が発生したような場合でも、発熱体１１０からの漏洩電流をシース管１３０を介してアース線１７０に流すことができる。
【００８３】
［シーズヒータの端部を覆うカバーの構成例］
次に、ヒータ１００の端部を覆うカバー２００を取り付けた場合の構成例およびカバー２００の構成について、図１０〜１４を参照して説明する。図１０〜１４では、ヒータ１００の端部を覆うカバー２００を取り付けた場合の構成例を正面図で示している。なお、図１０〜１４では、ヒータ１００の一端部（ターミナルピン１４１）の周囲の構成を中心にして示し、これ以外の構成については、図示およびその説明を省略する。また、ヒータ１００の他の端部（ターミナルピン１４２）を覆うカバー（図示略）の構成については、カバー２００の構成と略同様であるため、ここでの図示およびその説明を省略する。
【００８４】
カバー２００は、ヒータ１００の端部（シース管１３０、ターミナルピン１４１、絶縁体１５１）と、この端部に接続される電源供給部材１６０およびアース線１７０とを保護するための保護部材である。
【００８５】
カバー２００は、電源供給部材カバー２１０とアース線カバー２２０の２種類の保護部材を組み合わせることで構成している。
【００８６】
電源供給部材カバー２１０は、図１２および図１３に示すように、平面視略Ｕ字形状で正面部２１１と側面部２１２と背面部２１３とを有する。正面部２１１は、正面視略方形状で略中央部に略方形状の開口部２１４を穿設している。側面部２１２は、平面視略円弧状に構成しており、この円弧終端部近傍で正面部２１１および背面部２１３と連結している。また、背面部２１３は、背面視略方形状で前述の正面部２１１と同様に略中央部に略方形状の開口部２１５を穿設している。
【００８７】
このように電源供給部材カバー２１０を構成し、正面部２１１と、背面部２１３とに設けた開口部２１４、２１５をアース線カバー２２０に係合固定することで、電源供給部材カバー２１０は、電源供給部材１６０を囲繞して保護部材として機能する。
【００８８】
アース線カバー２２０は、図１４に示すように、天面部２２１と、給電保護部２２２と、係合部２２３ａ、２２３ｂとで構成している。
【００８９】
天面部２２１は、平面視略方形状で平面視略中央部から上方に補強リブ２２４を突設している。
【００９０】
給電保護部２２２は、正面部２２５と、下面部２２６と、背面部２２７とで構成している。正面部２２５は、正面視略逆Ｌ字形状で上部近傍に略方形状のカバー固定部２２８を穿設している。このカバー固定部２２８は、前述のタンク２６のカバー取付部１９０から外方に向けて穿設した突部１９１と係合固定するために利用される。
【００９１】
下面部２２６は、側面視略半円弧形状でアース線１７０が挿通できるように断面視略コ字形状となるように切欠部２２９を設けている。
この切欠部２２９の後方側下端部には略Ｌ字形状のアース線支持部２３０を垂設し、また、アース線支持部２３０の近傍には略コ字形状の電線支持部２３１を垂設している。
【００９２】
このように切欠部２２９を構成することでアース線１７０が容易にアース線カバー２２０内に挿入できシース管１３０の周面に溶接できる。また、アース線支持部２３０でアース線を支持する構成とすることで、シース管１３０の周面に溶接固定されたアース線１７０がケーシング５のベースプレート５ａに接触するおそれを低減できる。
【００９３】
また、カシメ部１６４に固定した導線１８１を図示しない電源に導く際に、電線支持部２３１で支持する構成とすることで導線１８１がケーシング５のベースプレート５ａに接触するおそれを低減できる。
【００９４】
係合部２２３ａは、正面視略方形状で長辺の一部を略円弧状に切欠いており、正面側の略中央部に係合用の突部２３３を設けている。なお、係合部２２３ｂは、係合部２２３ａを前後方向で反転した構成のためここでは図示および説明を省略する。
【００９５】
このように構成したアース線カバー２２０は、正面部２２５に穿設したカバー固定部２２８にタンク２６の端部から前後方向に突設した突部１９１に係合固定している。そのため、ヒータ１００はアース線カバー２２０によって他の部品と接触して導通する虞をなくし、また、シース管１３０の周面に接触するアース線１７０を保護するように機能できる。
また、アース線カバー２２０の係合部２２３ａに突設した突部２３３に電源供給部材カバー２１０の開口部２１４を係合固定することができる。
【００９６】
このように、カバー２００は、電源供給部材カバー２１０とアース線カバー２２０とを連結して構成しており、この連結状態時にヒータ１００の軸方向の直交方向に略方形状の開口部２４０を形成している。
開口部２４０は、図１０に示すように、シース管１３０、ターミナルピン１４１、絶縁体１５１、電源供給部材１６０、アース線１７０がカバー２００の外部に臨んでいる。
このように開口部２４０を構成することで溶接する部材が全て視認でき、該開口部２４０が溶接用の孔として機能できる。
【００９７】
また、このように開口部２４０を構成することでケーシング５にタンク２６を設置した状態で開口部２４０越しにシース管１３０とアース線１７０とを溶接できる。これにより溶接作業が容易となり作業時間を短縮して衛生洗浄装置２の製造コストを低減できる。
【００９８】
上述したように、ヒータ１００のターミナルピン１４１および電源供給部材１６０を溶接し、ヒータ１００のシース管１３０およびアース線１７０を溶接することで衛生洗浄装置２の部品点数を削減して所望の導通状態を形成できる。ただし、これらの溶接を実現するためには、ヒータ１００のターミナルピン１４１、シース管１３０の周りに溶接をするための空間が必要となる。また、これらの溶接後には、導通部分が剥き出しの状態であるためこれら溶接部の周囲を保護するためのカバーが必要となる。
【００９９】
しかし、ヒータ１００のターミナルピン１４１、シース管１３０の溶接後に、カバーを取り付けようとすると、既に溶接した導線またはアース線があるためカバーの取り付けを適切に行うことができないおそれがある。そこで、本実施形態では、ヒータ１００のターミナルピン１４１、シース管１３０の周りを覆うようにカバー２００を取り付けることで各部材の周りに周囲の部材との絶縁用および溶接用の開放空間が生起される。また、本実施形態では、タンク２６のカバー取付部１９０（図９参照）にカバー２００を取り付け後にターミナルピン１４１およびシース管１３０を溶接する。この場合に、カバー２００には、溶接用の開口部２４０が設けられるため、ヒータ１００のターミナルピン１４１およびシース管１３０の溶接作業を容易に行うことができる。
【０１００】
このように、本実施形態によれば、ヒータ１００のターミナルピン１４１、１４２と、ヒータ１００に電源を供給する電源供給部材１６０、１６６とを溶接することにより、電源供給部材１６０、１６６とヒータ１００との接続に要する部品点数を削減できる。これにより、衛生洗浄装置２を小型化でき、衛生洗浄装置２のコストを削減できる。また、電源供給部材１６０、１６６をヒータ１００のターミナルピン１４１、１４２に取り付ける場合にネジで締め付けを行う必要がなく、ヒータ１００にストレスを与えることがない。
【０１０１】
また、本実施形態によれば、ヒータ１００のシース管１３０とアース線１７０とを溶接することで、シース管１３０とアース線１７０との接続に要する部品点数を削減できる。これにより、衛生洗浄装置２を小型化することができ、衛生洗浄装置２の製造コストを削減できる。また、アース線１７０をヒータ１００のシース管１３０に取り付ける場合にネジで締め付けを行う必要がないため、ヒータ１００にストレスを与えることがない。
【０１０２】
また、本実施形態では、ヒータ１００の両端部を保護するためのカバー２００（他の端部のカバーは図示略）をタンク２６の外部に設けるようにする。これにより、ターミナルピン１４１、１４２と電源供給部材１６０、１６６との溶接およびヒータ１００のシース管１３０とアース線１７０の溶接に必要な空間を確保することができる。また、カバー２００には、溶接用の開口部２４０が設けられるため、ターミナルピン１４１および電源供給部材１６０の溶接作業、ヒータ１００のシース管１３０およびアース線１７０の溶接作業を開口部２４０越しに行うことができる。このため、溶接作業を容易に行うことができる。
【０１０３】
なお、本実施形態では、ヒータ１００の両端部のターミナルピン１４１、１４２に電源供給部材１６０、１６６を溶接する例を示したが、ヒータ１００の一端部のターミナルピンにのみ電源供給部材を溶接する場合についても本実施形態を適用することができる。
【０１０４】
また、本実施形態では、タンク２６の内部にヒータ１００を設置した後に、ヒータ１００の両端部のターミナルピン１４１、１４２に電源供給部材１６０、１６６を溶接する例を示した。ただし、例えば、ヒータ１００の一端部のターミナルピンに電源供給部材を溶接した後に、タンク２６の内部にヒータ１００を設置し、この設置後にヒータ１００の他の端部のターミナルピンに電源供給部材を溶接する場合についても本実施形態を適用することができる。
【０１０５】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１０６】
１  トイレ装置
２  衛生洗浄装置
３  便器
４  装置本体部
５  ケーシング
５ａ  ベースプレート
５ｂ  ケースカバー
２２  熱交換器
２６  タンク
１００  ヒータ
１１０  発熱体
１２０  粉末絶縁材
１３０  シース管
１４１、１４２  ターミナルピン
１５１、１５２  絶縁体
１６０、１６６  電源供給部材
１６１  配線固定面
１６２  接続面
１６３  配線固定部
１６３ａ、１６３ｂ  ブラケット
１６３ｃ  開口部
１６４  カシメ部
１６４ａ、１６４ｂ  ブラケット
１６４ｃ  開口部
１６５  接続部
１７０  アース線
１７１  一端部
１８１  導線
１９０  カバー取付部
１９１  突部
２００  カバー
２１０  電源供給部材カバー
２１１  正面部
２１２  側面部
２１３  背面部
２１４、２１５  開口部
２２０  アース線カバー
２２１  天面部
２２２  給電保護部
２２３  係合部
２２４  補強リブ
２２５  正面部
２２６  下面部
２２７  背面部
２２８  カバー固定部
２２９  切欠部
２３０  アース線支持部
２３１  電線支持部
２３２  係合部
２３３  突部
２４０  開口部
【図１】
2020133290.tif 000003
【図２】
2020133290.tif 000004
【図３】
2020133290.tif 000005
【図４】
2020133290.tif 000006
【図５】
2020133290.tif 000007
【図６】
2020133290.tif 000008
【図７】
2020133290.tif 000009
【図８】
2020133290.tif 000010
【図９】
2020133290.tif 000011
【図１０】
2020133290.tif 000012
【図１１】
2020133290.tif 000013
【図１２】
2020133290.tif 000014
【図１３】
2020133290.tif 000015
【図１４】
2020133290.tif 000016